(57)【要約】【課題】小売店舗の万引被害回避策として、売場において客が万引を意図し、商品を自らの懐又はバック等に隠すことを阻止するために、早期警報発生にて万引行為を断念させる万引防止システムを提供する。【解決手段】  商品に自鳴式ＩＣタグを取付け、自鳴式ＩＣタグ取付商品が、売場陳列もしくは店舗備付専用買物カゴに投入されている状態以外は、常にタグ自身から大音響を発するシステム構成とし、客に対する専用買物カゴ使用協力要請により、商品を自らの懐又はバック等に隠す行為を阻止し、早期警報発生にて万引行為を断念させることを可能とする。【選択図】図２
2009157849.tif 000002
【特許請求の範囲】
【請求項１】
警報スピーカと特定周波数電波に感応する複数個の共振回路を内蔵し、前記共振回路が異なる外部環境下において個別に共振現象を起こして電波を受信した状態もしくは全くいずれの周波数電波も受信していない状態となった場合に、前記警報スピーカに対して吹鳴させるか吹鳴停止させるかの事前設定を外部より設定可能とし得る、個々の陳列商品個別に取付けられる商品取付自鳴式ＩＣタグと、
店舗内の商品陳列棚の近傍に設置され、該商品陳列棚を対象ゾーンとし、その電波到達範囲内に存在する陳列商品に取付けられた前記取付自鳴式ＩＣタグの全てが感応する特定周波数電波を連続，安定的に送信し得る売場設置発信器と、
店舗備付専用買物カゴに取付けられ、買物カゴの容積と略同容積相当範囲を対象ゾーンとし、買物客が陳列棚の商品を取上げて店舗備付専用買物カゴに投入した状態で、そのカゴ内に存在する前記商品取付自鳴式ＩＣタグの全てが感応する特定周波数電波を連続、安定的に送信し得る買物カゴ取付発信器と、
を備え、小売店舗において棚陳列商品を取上げ、前記店舗備付専用買物カゴに投入せず、万引行為に及んだ場合に、前記売場設置発信器の電波到達範囲から出たタイミングで、万引行為におよんだ商品に取付けられている前記商品取付自鳴式ＩＣタグに内蔵されている警報スピーカから音響を発することで、該当客に注意を喚起して万引行為を未然に断念させ、また、前記売場設置発信器の電波到達範囲から出る前に前記店舗備付専用買物カゴに商品を投入したならば音響の発生を停止することを特徴とする万引防止システム。
【請求項２】
警報スピーカと特定周波数電波に感応する複数個の共振回路を内蔵し、前記共振回路が異なる外部環境下において個別に共振現象を起こして電波を受信した状態もしくは全くいずれの周波数電波も受信していない状態となった場合に、前記警報スピーカに対して吹鳴させるか吹鳴停止させるかの事前設定を外部より設定可能とし得る、個々の陳列商品個別に取付けられることを特徴とする商品取付自鳴式ＩＣタグ。
【発明の詳細な説明】
【技術分野】
【０００１】
本発明は、外部からの異なる特定周波数電波を受信可能な複数個の共振回路を内蔵した商品取付自鳴式ＩＣタグ、売場陳列棚近傍に設置され、特定周波数電波を陳列商品取付自鳴式ＩＣタグに送信可能な発信器、店舗専用買物カゴに取付けられ、特定周波数電波を、そこに投入された商品に取付けられたＩＣタグに送信可能な発信器の適用により、万引行為を早期に断念させ、その防止に寄与できる万引防止システムに関する。
【背景技術】
【０００２】
最近の小売業者は、拡大する「万引き被害」に悩まされている。その被害額は業種によるばらつきはあるものの、平均的には該当店舗総売上額の１〜２％と見られている。この額は対利益比に置き換えると極めて大きな額となり、この被害ダメージの蓄積により廃業を余儀なくされるケースも昨今多く見られる。
最近は、店舗セキュリティに関する監視機器等も様々なものが販売され普及しつつあるが、特効薬に該当するものは見当たらない。監視カメラ等がもっとも普及している品目であるが、人的監視が主体である限りおのずと限界がある。
またＩＣタグも普及しつつあり、個別商品では、現時点では単一条件吹鳴機能を有する自鳴式ＩＣタグが一般的となりつつある、これは店舗陳列商品にこのタグを取付けておき、顧客が万引目的にて該当商品を携えレジを経由せず店舗出口センサゲートを通過すると、タグ自身から大音響を発する仕組みである。
しかしこのような対策を施しても、その場でタグを引きちぎり逃走、商品をその場に投出し逃走するケース、更に巧妙な手口としては、売場で狙いを付けた商品の取付ＩＣタグを特定の金属箔で覆い電波受信を遮断することにより、堂々と店舗出口センサゲートを通過、密やかに犯行を成している者も現れており確実な対策とはいえないのが実情である。
【０００３】
このような背景において発案されたのが本発明である。従来の単一条件吹鳴機能自鳴式ＩＣタグによる万引検知手法は、万引行為が法的に成立したと判断可能な物理的境界線に相当する店舗出口でのチェックに相当しており、犯人を捕らえる、レジに誘導する等の時間的余裕が極めて乏しく、完璧な万引抑止効果は期待できないのが現実である。万引きは起こさせない、即ち商品を携えた人物がレジを経由せず店舗出口に到達する以前の早期に、つまり売場にいる段階に万引行為を断念させることができれば、万引被害を大幅に減少させることが可能と考えられる。
本発明では、売場で陳列棚から取上げた商品は総て店舗備付専用買物カゴに投入させ、そのままレジに運ぶことを客に協力要請し、客の万引行為にいたる誘惑を断ち切ることを狙っている。従来の単一機能吹鳴自鳴式ＩＣタグは、店舗出口センサゲートの電波に感応する。本発明に適用される自鳴式ＩＣタグは、いずれの特定電波も受信しない状況下で、大音響を発することを可能としている。つまり常に特定周波数の電波を受信していれば、大音響が停止するように任意設定が可能である。具体的には、自鳴式ＩＣタグ取付商品が、陳列棚を含むその近辺に存在している状況下では、売場設置発信器の電波を受信し、音響は停止している。
しかし客が商品を取上げ、売場から離れその電波到達範囲外に商品が移動すると大音響を発することになる。従って、その大音響発生を未然に停止させるには、発信器を取付けた店舗備付専用買物カゴに商品を投入し、常に商品取付自鳴式ＩＣタグが特定周波数電波を受信可能とすれば騒音発生等により顧客に不快感を抱かせることなく運用可能であり、万引き行為の断念にも結び付くものと考える。
【０００４】
これまでの、万引検知システムに関しては、自鳴式タグを応用した装置が知られている（例えば、特許文献１参照。）。
【０００５】
【特許文献１】特開平８−６９５８１号広報
【発明の開示】
【発明が解決しようとする課題】
【０００６】
本発明は、商品を携えた人物がレジを経由せず店舗出口に到達する以前の早期に、つまり売場にいる段階に万引行為を断念させることを目的としている。つまり犯罪行為に至る以前に、自ら断念させれば、店舗側の直接的損失回避のみならず、副次的作業も一切生じない。即ち、犯人の特定、捕獲、万引現行犯としての証拠固め等は不要となる。また犯人捕獲に伴う危険回避も可能となり、その波及効果は極めて大きい。
本発明では、売場で陳列棚から取上げた商品は総て店舗備付専用買物カゴに投入させ、そのままレジに運ぶことを客に協力要請し、客の万引行為にいたる誘惑を断ち切ることを狙っている。従来の単一条件吹鳴機能自鳴式ＩＣタグは、店舗出口センサゲートの電波に感応する。本発明に適用される自鳴式ＩＣタグは、いずれの特定電波も受信しない状況下で、大音響を発することを可能としている。つまり常に特定周波数の電波を受信していれば、大音響が停止するように任意設定が可能である。具体的には、自鳴式ＩＣタグ取付商品が、陳列棚を含むその近辺に存在している状況下では、売場設置発信器の電波を受信し、音響は停止している。しかし客が商品を取上げ、売場から離れその電波到達範囲外に商品が移動すると大音響を発することになる。更に特殊ケースとしては陳列中商品の取付ＩＣタグを、特定の金属箔で覆う等の行為を働くと、ＩＣタグは受信電波遮断によりたちまち大音響を発することになる。従って、上述特殊ケース以外でその大音響発生を未然に停止させるには、発信器を取付けた店舗備付専用買物カゴに商品を投入し、常に商品取付自鳴式ＩＣタグが特定周波数電波を受信可能とすれば騒音発生等により客に不快感を抱かせることなく運用可能である。このように商品は総て店舗備付専用買物カゴに投入するよう客に協力要請することにより、万引き行為の断念に結び付くものと考えている。
【０００７】
つまり、従来の単一条件吹鳴機能自鳴式ＩＣタグを用いたシステムにおいては、万引犯行が成立直前に、その検知を行うものであり、第三者判断により、事前に予兆察知ができてもその犯行を完全阻止するには制約が多く、実効性の面では課題が残る。
本発明では、犯行に着手する以前に万引行為を断念させることが可能であり、実効性が高く波及効果の大きい万引防止システムを提供することを目的としている。
【課題を解決するための手段】
【０００８】
上述した課題を解決し、目的を達成するために、本発明の万引防止システムは、
１）警報スピーカと特定周波数電波に感応する複数個の共振回路を内蔵し、前記共振回路が異なる外部環境下において個別に共振現象を起こして電波を受信した状態もしくは全くいずれの周波数電波も受信していない状態となった場合に、前記警報スピーカに対して吹鳴させるか吹鳴停止させるかの事前設定を外部より設定可能とし得る、個々の陳列商品個別に取付けられる商品取付自鳴式ＩＣタグと、
２）店舗内の商品陳列棚の近傍に設置され、該商品陳列棚を対象ゾーンとし、その電波到達範囲内に存在する陳列商品に取付けられた前記取付自鳴式ＩＣタグの全てが感応する特定周波数電波を連続，安定的に送信し得る売場設置発信器と、
３）店舗備付専用買物カゴに取付けられ、買物カゴの容積と略同容積相当範囲を対象ゾーンとし、買物客が陳列棚の商品を取上げて店舗備付専用買物カゴに投入した状態で、そのカゴ内に存在する前記商品取付自鳴式ＩＣタグの全てが感応する特定周波数電波を連続、安定的に送信し得る買物カゴ取付発信器と、
を備え、小売店舗において棚陳列商品を取上げ、前記店舗備付専用買物カゴに投入せず、万引行為に及んだ場合に、前記売場設置発信器の電波到達範囲から出たタイミングで、万引行為におよんだ商品に取付けられている前記商品取付自鳴式ＩＣタグに内蔵されている警報スピーカから音響を発することで、該当客に注意を喚起して万引行為を未然に断念させ、また、前記売場設置発信器の電波到達範囲から出る前に前記店舗備付専用買物カゴに商品を投入したならば音響の発生を停止することを特徴とする。
【０００９】
、上記構成によれば、小売店舗において万引を目的として棚陳列商品を取上げ、店舗備付専用買物カゴに投入せず、客が自らの懐、バッグ等に忍ばせ、前記売場設置発信器電波到達範囲、即ち店舗内売場一角から足を踏み出した瞬間に該当商品取付自鳴式ＩＣタグの内蔵警報スピーカが大音響を発し、該当客に注意を喚起、万引行為を未然に断念させることができると共に、売場設置発信器電波到達範囲、即ち該当売場一角から客が足を踏み出す以前に店舗備付専用買物カゴに商品を投入すれば大音響の発生停止を可能とする。
【００１０】
また、本発明の商品取付自鳴式ＩＣタグは、警報スピーカと特定周波数電波に感応する複数個の共振回路を内蔵し、前記共振回路が異なる外部環境下において個別に共振現象を起こして電波を受信した状態もしくは全くいずれの周波数電波も受信していない状態となった場合に、前記警報スピーカに対して吹鳴させるか吹鳴停止させるかの事前設定を外部より設定可能とし得る、個々の陳列商品個別に取付けられることを特徴とする。
上記構成によれば、個々の陳列商品個別に取付けることを前提に、その内部に外部からの異なる特定周波数電波に感応する共振回路を複数個内蔵し、各々の回路が異なる外部環境下において個別に共振現象を起こす、即ち電波を受信した状態、もしくは全くいずれの周波数電波も受信していない状態にて内蔵する警報スピーカを、吹鳴させるか、吹鳴停止させるかを事前に各々の状況対応に外部信号にて任意設定し、店舗内万引き防止、検知に関わる様々な用途下において多目的に適応可能である。
【００１１】
また、上述の売場設置発信器は、店舗内商品陳列棚の近傍に設置されることを前提に、該当商品陳列棚を対象ゾーンとし、その電波到達範囲内に存在する陳列商品取付自鳴式ＩＣタグ総てが感応する特定周波数電波を連続、安定的に送信する機能を備えるものである。
【００１２】
また、上述の買物カゴ取付発信器は、店舗備付専用買物カゴの底面付近に取付けることを前提に、概ね買物カゴ容量の相当範囲を対象ゾーンとし、買物客が陳列棚の商品を取上げ、店舗備付専用買物カゴに投入した状態で、そのカゴ内に存在する商品取付自鳴式ＩＣタグ総てが感応する特定周波数電波を連続、安定的に送信する機能を備えるものである。ここで、概ね買物カゴ容量の相当範囲を対象ゾーンとしたのは、買物カゴに商品を詰め込み、買物カゴから溢れる状態を想定したものである。なお、買物カゴ容量は買物カゴ容積と同様の意味で用いている。
【発明の効果】
【００１３】
本発明は、犯行に着手する以前に万引行為を断念させることを可能にすることにより、被害損失の大幅低減が期待でき、店舗健全経営に大きく貢献することができる効果がある。
すなわち、小売店舗において万引を目的として棚陳列商品を取上げ、店舗備付専用買物カゴに投入せず、客が自らの懐、バッグ等に忍ばせ、前記売場設置発信器電波到達範囲、即ち店舗内売場一角から足を踏み出した瞬間に該当商品取付自鳴式ＩＣタグの内蔵警報スピーカが大音響を発し、該当客に注意を喚起、万引行為を未然に断念させるものであり、売場設置発信器電波到達範囲、即ち該当売場一角から客が足を踏み出す以前に店舗備付専用買物カゴに商品を投入すれば大音響の発生停止を可能とするのである。
本発明によれば、昨今社会問題化している万引被害拡大の実態において、従来限界が見られた対策を大幅に前進させるものであり、犯行を未然に断念させることが可能となり、店舗健全経営化に寄与するのみならず、万引犯罪の減少化に貢献できるのである。
【発明を実施するための最良の形態】
【００１４】
以下に、添付図面を参照して、この発明に関わる万引防止システムの実施の形態を詳細に説明する。但し、本発明の範囲は、図示に限定されるものではない。
【実施例１】
【００１５】
先ず、図１を基に、商品取付自鳴式ＩＣタグ内部構成概要に就き説明する。
図は自鳴式ＩＣタグ101の内部構成概要を示すものであり、構成部品は総て小型パッケージに収納され商品に取付け使用される。共振回路部Ａ102及び共振回路部Ｂ103は、外部からの異なる周波数電波により共振する。これらが共振現象を起こすとその信号は増幅器104により増幅され、警報スピーカ部107の警報発生もしくは停止のトリガー信号としてスピーカ制御部106に送信される。共振回路Ａ102、共振回路Ｂ103いずれかの回路が共振状態で、警報スピーカ部107の吹鳴を停止させる、またいずれの回路も共振状態でない場合に警報スピーカ部107を吹鳴させるかは外部指令信号受信部108からの信号により決定され、この設定は外部から可能である。電池部105は警報スピーカ107の電源用である。
【００１６】
次に、図２を基に店舗内商品陳列棚レイアウトと売場設置発信器電波到達ゾーンイメージに就き説明する。商品陳列棚201上に陳列商品(202a〜202d)が搭載されており、これらには総て自鳴式ＩＣタグ101が取り付けられている。この状態でこれら自鳴式ＩＣタグ101内蔵の共振回路Ａ102を共振させる電波210を連続的、安定的に送信可能な売場設置発信器204が設置されている。商品陳列状態では、自鳴式ＩＣタグ101は常に電波210を受信し、タグ自身からの警報大音響発生が抑止されている。
【００１７】
次に、図３を基に店舗内商品陳列棚レイアウトと売場設置発信器電波到達ゾーンイメージに就き説明する。店舗内陳列棚間通路301をはさんで２列の商品陳列棚201が並んで配置されている。そして、２列の商品陳列棚201には、商品（303a〜303h）が陳列されている。客は通常この通路301に進入し、目当ての商品を物色し、気に入ったものは商品陳列棚201から商品を取上げ、レジに運ぶ行動に移る。この場合、商品を携え売場設置発信器電波到達ゾーン302の外に足を踏み出すと、その時点以降、自鳴式タグ自身から警報大音響を発する。そして再びゾーン内に戻れば警報音は停止する。
【００１８】
次に、図４を基に店舗備付専用買物カゴへの発信器取付及び商品取付自鳴式ＩＣタグへの電波発信イメージに就き説明する。買物カゴ402の中には２個の商品（404a,404b）が投入されており、それらには自鳴式ＩＣタグ101が取付けられている。この状態でこれら自鳴式ＩＣタグ101内蔵の共振回路Ｂ10３を共振させる電波210を連続的、安定的に送信可能な買物カゴ取付発信器403が商品投入の妨げにならないようカゴ底面付近に取付けられている。商品投入状態では、自鳴式ＩＣタグ101は常に電波210を受信し、タグ自身からの警報大音響発生が抑止されている。
【００１９】
さて、これまで本発明の実施の形態に就いて説明したが、本発明は既述した実施の形態以外にも、上記特許請求の範囲に記載した技術的思想の範囲内において種々異なる実施の形態に実施されてもよいものである。
【００２０】
実施例において説明した各処理の内、自動的に行われるものとして説明した処理の全部または一部を人為作業にて行うことも可能である。またあるいは人為的に行うものとして説明した処理の全部または一部を公知の方法で自動的に行うこともできる。この他、既述文章中で示した処理手順、具体的名称に就いては、特記する場合を除いて任意に変更することができる。
また図示した各構成要素は機能概念的なものであり、必ずしも物理的に図示の如く構成されていることを要しない。
【産業上の利用可能性】
【００２１】
本発明は、小売店舗陳列棚の陳列商品万引防止システムに利用できる。
【図面の簡単な説明】
【００２２】
【図１】商品取付自鳴式ＩＣタグ内部構成概要図
【図２】陳列商品取付自鳴式ＩＣタグと売場設置発信器との位置関係イメージ図
【図３】店舗内商品陳列棚レイアウトと売場設置発信器電波到達ゾーンイメージ図
【図４】店舗備付専用買物カゴへの発信器取付及び商品取付自鳴式ＩＣタグへの電波発信イメージ図
【符号の説明】
【００２３】
１０１  自鳴式ＩＣタグ
１０２  共振回路部Ａ
１０３  共振回路部Ｂ
１０４  増幅器部
１０５  電池部
１０６  スピーカ制御部
１０７  警報スピーカ部
１０８  外部指令信号受信部
２０１  商品陳列棚
２０２ａ，２０２ｂ，２０２ｃ，２０２ｄ  陳列商品
２０４  売場設置発信器
２１０  電波
３０１  店舗内陳列棚間通路
３０２  売場設置発信器電波到達ゾーン
３０３ａ，３０３ｂ，３０３ｃ，３０３ｄ，３０３ｅ，３０３ｆ，３０３ｇ，３０３ｈ  自鳴式ＩＣタグ取付陳列商品
４０１  買物カゴ持手
４０２  買物カゴ
４０３  買物カゴ取付発信器
４０４ａ，４０４ｂ  商品
４０５  買物カゴ取付発信器電波到達ゾーン
【図１】
2009157849.tif 000003
【図２】
2009157849.tif 000004
【図３】
2009157849.tif 000005
【図４】
2009157849.tif 000006